(57)【要約】ブロードキャスト及びマルチキャスト（ＢＣＡＳＴ）サービスに関し、特に、ブロードキャストコンテンツをネットワーク負荷が少ない時点で端末に伝送するＢＣＡＳＴサービスシステム及びこれを利用したコンテンツ伝送方法に関する。ＤＷ（Ｄｉｓｔｒｉｂｕｔｉｏｎ  Ｗｉｎｄｏｗ）及びＰＷ（Ｐｒｅｓｅｎｔａｔｉｏｎ  Ｗｉｎｄｏｗ）を使用してプログラムコンテンツをブロードキャストするとき、前記端末が前記ネットワークに前記コンテンツの受信確認を示すメッセージをフィードバックすることにより、前記端末と前記ネットワーク間のコンテンツ受信成功率が向上する。
2009500942.tif 000002
【特許請求の範囲】
【請求項１】
所定コンテンツを有するブロードキャスト及びマルチキャスト（ＢＣＡＳＴ）サービスにおいて、
所定プログラムのコンテンツを第１時間中に端末に伝送し、前記端末の受信報告メッセージによってコンテンツの再伝送を決定するサーバと、
前記コンテンツの受信報告メッセージを前記サーバにフィードバックする端末と
を含むことを特徴とするＢＣＡＳＴサービスシステム。
【請求項２】
前記コンテンツは、前記端末により前記第１時間中に受信され、第２時間中に放送されることを特徴とする請求項１に記載のＢＣＡＳＴサービスシステム。
【請求項３】
前記第１時間は、ＤＷ（Ｄｉｓｔｒｉｂｕｔｉｏｎ  Ｗｉｎｄｏｗ）時間を示し、前記第２時間は、ＰＷ（Ｐｒｅｓｅｎｔａｔｉｏｎ  Ｗｉｎｄｏｗ）時間を示すことを特徴とする請求項２に記載のＢＣＡＳＴサービスシステム。
【請求項４】
前記サーバは、前記第１時間に関する識別子を前記端末に伝送することを特徴とする請求項１に記載のＢＣＡＳＴサービスシステム。
【請求項５】
受信報告メッセージは、前記第１時間に関する識別子を含むことを特徴とする請求項１に記載のＢＣＡＳＴサービスシステム。
【請求項６】
前記サーバは、前記各コンテンツに対してスケジュールされた第１時間及び第２時間を含むサービスガイドを前記端末に伝送することを特徴とする請求項１に記載のＢＣＡＳＴサービスシステム。
【請求項７】
前記サーバは、前記受信報告メッセージを利用して計算されるコンテンツ受信成功率によってコンテンツの再伝送を決定することを特徴とする請求項１に記載のＢＣＡＳＴサービスシステム。
【請求項８】
前記コンテンツ受信成功率が所定値であるか、前記所定値より高い場合、前記サーバは１対１方式でコンテンツを再伝送し、前記端末のコンテンツ受信成功率が所定値より低い場合、前記サーバは１対多方式でコンテンツを再伝送する請求項７に記載のＢＣＡＳＴサービスシステム。
【請求項９】
前記サーバは、
ネイティブコンテンツを生成するコンテンツ生成部と、
前記生成されたコンテンツの加工及び保護、又はＢＣＡＳＴサービスの維持及び管理機能を行うＢＣＡＳＴサービスアプリケーションと、
前記加工されたコンテンツの伝送及び再伝送並びに前記サービスガイドの生成及び伝送機能を行うＢＣＡＳＴサービス分配及び適用部と、
ユーザ加入情報を維持及び管理し、前記メッセージを受信していない端末のリストを前記ＢＣＡＳＴサービス分配及び適用部に通知するＢＣＡＳＴ加入管理部とを含むことを特徴とする請求項１に記載のＢＣＡＳＴサービスシステム。
【請求項１０】
所定コンテンツを有するブロードキャスト及びマルチキャスト（ＢＣＡＳＴ）サービスにおいて、
前記コンテンツを第１時間中に１つ以上の端末に伝送し、受信報告メッセージを送信していない端末に接続通知メッセージを送信するサーバと、
前記接続通知メッセージに含まれる情報を利用して前記サーバに前記コンテンツの再伝送を要求する端末と
を含むことを特徴とするＢＣＡＳＴサービスシステム。
【請求項１１】
前記第１時間は、ＤＷ（Ｄｉｓｔｒｉｂｕｔｉｏｎ  Ｗｉｎｄｏｗ）時間を示し、前記第２時間は、ＰＷ（Ｐｒｅｓｅｎｔａｔｉｏｎ  Ｗｉｎｄｏｗ）時間を示すことを特徴とする請求項１０に記載のＢＣＡＳＴサービスシステム。
【請求項１２】
前記サーバは、前記第１時間に関する識別子を前記端末に伝送することを特徴とする請求項１０に記載のＢＣＡＳＴサービスシステム。
【請求項１３】
前記接続通知メッセージは、ＳＭＳメッセージであり、第１時間中のコンテンツ伝送の試み及び失敗に関する情報とＵＲＬを含むことを特徴とする請求項１０に記載のＢＣＡＳＴサービスシステム。
【請求項１４】
前記コンテンツの再伝送要求は、第２時間以前にのみ可能であり、各端末により個別に行われることを特徴とする請求項１０に記載のＢＣＡＳＴサービスシステム。
【請求項１５】
前記コンテンツの受信不可能な端末を確認して前記サーバに通知するネットワークエンティティをさらに含むことを特徴とする請求項１０に記載のＢＣＡＳＴサービスシステム。
【請求項１６】
前記ネットワークエンティティは、１：Ｍ通信をサポートするＢＣＡＳＴ分配システムであることを特徴とする請求項１５に記載のＢＣＡＳＴサービスシステム。
【請求項１７】
前記サーバは、
ネイティブコンテンツを生成するコンテンツ生成部と、
前記生成されたコンテンツの加工及び保護、又はＢＣＡＳＴサービスの維持及び管理機能を行うＢＣＡＳＴサービスアプリケーションと、
前記加工されたコンテンツの伝送及び再伝送を行うＢＣＡＳＴサービス分配及び適用部と、
ユーザ加入情報を維持及び管理し、受信報告メッセージ及び再伝送要求メッセージを送信した端末のリストを前記ＢＣＡＳＴサービス分配及び適用部に通知するＢＣＡＳＴ加入管理部とを含むことを特徴とする請求項１０に記載のＢＣＡＳＴサービスシステム。
【請求項１８】
サーバが、第１時間中にコンテンツを１つ以上の端末に伝送する段階と、
前記コンテンツを受信した端末が、前記サーバに受信報告メッセージをフィードバックする段階と、
前記フィードバックされた受信報告メッセージを利用して前記サーバが、コンテンツの再伝送を決定する段階と
を含むことを特徴とするＢＣＡＳＴサービスシステムのコンテンツ伝送方法。
【請求項１９】
前記第１時間は、ＤＷ（Ｄｉｓｔｒｉｂｕｔｉｏｎ  Ｗｉｎｄｏｗ）時間を示し、前記コンテンツは、ＰＷ（Ｐｒｅｓｅｎｔａｔｉｏｎ  Ｗｉｎｄｏｗ）時間を示す第２時間中に放送されることを特徴とする請求項１８に記載のＢＣＡＳＴサービスシステムのコンテンツ伝送方法。
【請求項２０】
前記サーバは、前記第１時間に関する識別子を前記端末に伝送することを特徴とする請求項１８に記載のＢＣＡＳＴサービスシステムのコンテンツ伝送方法。
【請求項２１】
前記サーバは、前記受信報告メッセージを利用して計算されたコンテンツ受信成功率によってコンテンツの再伝送を決定することを特徴とする請求項１８に記載のＢＣＡＳＴサービスシステムのコンテンツ伝送方法。
【請求項２２】
前記端末のコンテンツ受信成功率が所定値であるか、前記所定値より高い場合、前記サーバが１対１方式で前記コンテンツを再伝送し、コンテンツ受信成功率が所定値より低い場合、前記サーバが１対多方式で前記コンテンツを再伝送することを特徴とする請求項２０に記載のＢＣＡＳＴサービスシステムのコンテンツ伝送方法。
【請求項２３】
サーバが、第１時間中にネットワークを介してコンテンツを１つ以上の端末に伝送する段階と、
前記ネットワークが、コンテンツの受信不可能な端末を確認してサーバに通知する段階と、
前記サーバが、前記コンテンツの受信不可能な端末に接続通知メッセージを送信する段階と、
前記端末が、接続通知メッセージに含まれる情報を利用して前記サーバにコンテンツの再伝送を要求する段階と
を含むことを特徴とするＢＣＡＳＴサービスシステムのコンテンツ伝送方法。
【請求項２４】
前記第１時間は、ＤＷ（Ｄｉｓｔｒｉｂｕｔｉｏｎ  Ｗｉｎｄｏｗ）時間を示し、前記コンテンツは、ＰＷ（Ｐｒｅｓｅｎｔａｔｉｏｎ  Ｗｉｎｄｏｗ）時間を示す第２時間中に放送されることを特徴とする請求項２３に記載のＢＣＡＳＴサービスシステムのコンテンツ伝送方法。
【請求項２５】
前記サーバは、前記第１時間に関する識別子を前記端末に伝送することを特徴とする請求項２３に記載のＢＣＡＳＴサービスシステムのコンテンツ伝送方法。
【請求項２６】
前記接続通知メッセージは、ＳＭＳメッセージであり、第１時間中のコンテンツ伝送の試み及び失敗に関する情報とＵＲＬを含むことを特徴とする請求項２３に記載のＢＣＡＳＴサービスシステムのコンテンツ伝送方法。
【請求項２７】
前記コンテンツの再伝送要求は、
第２時間以前にのみ可能であり、個別に行われることを特徴とする請求項２３に記載のＢＣＡＳＴサービスシステムのコンテンツ伝送方法。
【請求項２８】
サーバが、第１時間中にネットワークを介して各第１時間の識別子を１つ以上の端末に伝送する段階と、
前記端末から受信報告メッセージを受信する段階と、
前記受信報告メッセージを送信していない端末を分類し、前記接続通知メッセージを送信する段階と、
前記端末が、接続通知メッセージに含まれる情報を利用して前記サーバにコンテンツの再伝送を要求する段階と
を含むことを特徴とするＢＣＡＳＴサービスシステムのコンテンツ伝送方法。
【請求項２９】
前記第１時間は、ＤＷ（Ｄｉｓｔｒｉｂｕｔｉｏｎ  Ｗｉｎｄｏｗ）時間を示し、前記コンテンツは、ＰＷ（Ｐｒｅｓｅｎｔａｔｉｏｎ  Ｗｉｎｄｏｗ）時間を示す第２時間中に放送されることを特徴とする請求項２８に記載のＢＣＡＳＴサービスシステムのコンテンツ伝送方法。
【請求項３０】
前記接続通知メッセージは、ＳＭＳメッセージであり、第１時間中のコンテンツ伝送の試み及び失敗に関する情報とＵＲＬを含むことを特徴とする請求項２８に記載のＢＣＡＳＴサービスシステムのコンテンツ伝送方法。
【請求項３１】
前記コンテンツの再伝送要求は、
第２時間以前にのみ可能であり、各端末により個別に行われることを特徴とする請求項２８に記載のＢＣＡＳＴサービスシステムのコンテンツ伝送方法。
【発明の詳細な説明】
【技術分野】
【０００１】
本発明は、ブロードキャスト及びマルチキャストサービス（以下、ＢＣＡＳＴサービスという）に関し、特に、ネットワーク負荷が少ない時点でブロードキャストコンテンツを端末に伝送するＢＣＡＳＴサービスシステム及びこれを利用したコンテンツ伝送方法に関する。
【背景技術】
【０００２】
移動通信システムにおいて提供されるブロードキャストサービスは、生放送サービスではない場合、実際の放送時間より先に該当プログラムのコンテンツを端末に伝送するサービスを含む。
【０００３】
前述したようなブロードキャストサービスを利用する場合、ネットワークオペレータは、ネットワーク使用率が低い時にコンテンツを伝送するため、ネットワークリソースを効率的に利用することができ、ユーザは遅延なしに途切れなくサービスを受信することができ、バッテリ電力の損失を最小限に抑えることもできる。例えば、前記端末は、スリープモードの間コンテンツをリアルタイムに受信し、伝送が完了すると、前記端末がロングスリープモードに移行して不要な電力消費が低減する。
【０００４】
従って、前記ブロードキャストサービスは、実際の放送時間前にプログラム（例えば、プログラムガイド）のコンテンツを受信でき、前記受信されたコンテンツにより実際の放送が提供される時間を認知できるという利点がある。ＯＭＡ  ＢＣＡＳＴは、このようなサービス概念を分配ウィンドウ（Ｄｉｓｔｒｉｂｕｔｉｏｎ  Ｗｉｎｄｏｗ：ＤＷ）及びプレゼンテーションウィンドウ（Ｐｒｅｓｅｎｔａｔｉｏｎ  Ｗｉｎｄｏｗ：ＰＷ）と定義している。
【０００５】
図１は、ＤＷ及びＰＷの概念を示す図である。
【０００６】
図１に示すように、前記ＤＷは、所定プログラムのコンテンツが実際の放送時間より先に端末に伝送されるときの時間単位であり、分配開始時間（Ｄｉｓｔｒｉｂｕｔｉｏｎ  ｓｔａｒｔ  ｔｉｍｅ）と分配終了時間（Ｄｉｓｔｒｉｂｕｔｉｏｎ  ｅｎｄ  ｔｉｍｅ）に区分される。また、前記ＰＷは、前記ユーザが前記ＤＷ中に受信された前記コンテンツを見ることができるように、前記コンテンツを実際の放送時間によって指定する時間単位であり、プレゼンテーション開始時間（Ｐｒｅｓｅｎｔｉｏｎ  ｓｔａｒｔ  ｔｉｍｅ）とプレゼンテーション終了時間（Ｐｒｅｓｅｎｔｉｏｎ  ｅｎｄ  ｔｉｍｅ）に区分される。すなわち、前記ＰＷは、ユーザが実際の放送時間に前記プログラムコンテンツを見ることができる時間間隔を意味し、前記ＤＷは、前記ユーザが前記ＰＷ中に前記プログラムコンテンツを選択して見ることができるように、関連コンテンツがブロードキャストされる時間を意味する。
【０００７】
従って、前記ＤＷ中に前記コンテンツを伝送するために、サーバは、制御信号のターンオン又はターンオフ（例えば、信号の伝送又は非伝送）により前記端末との接続を試みて前記コンテンツを受信するために前記端末をウェイクアップする。これは、前記ネットワークと前記端末間のコンテンツの交換を意味し、ユーザは、前記ユーザに提供されたサービスガイドを見ることにより前記ＤＷ及び前記ＰＷの時間が認知できる。
【０００８】
図２は、ＤＷ及びＰＷを適用したサービスガイドの一例を示す図である。
【０００９】
図２を参照すると、左側のスケジュール表において、Ｃｏｎｔｅｎｔ  ＩＤは、特定時間中に放映されるプログラムのタイトルを示し、Ｐｒｅｓｅｎｔａｔｉｏｎ  Ｗｉｎｄｏｗは、実際のプログラムが放送される時間間隔を示す。Ｄｉｓｔｒｉｂｕｔｉｏｎ  Ｗｉｎｄｏｗは、実際の放送時間であるＰＷより先に構成される。従って、前記ＤＷ中に前記端末にプログラムのコンテンツを前もって伝送することにより、前記ユーザは、前記コンテンツを改善した方式で受信して見ることができる。
【００１０】
しかし、前記ＤＷ及び前記ＰＷを利用した従来のブロードキャストサービスにおいて、前記端末がＯＦＦ状態にあるか、シャドウエリア（すなわち、弱電波地域）にある場合、前記端末のメモリ容量が不足している場合、及び／又はバッテリ容量が不足している場合、前記端末は、前記ＤＷ中に前記コンテンツを受信できない可能性がある。また、前記サーバは、全ての端末が前記ＤＷ中に前記コンテンツを正常に受信したか否かを確認することができず、前記ユーザは、サービスの遅延又は停止によって前記ＰＷ中に正常なプログラムを見ることができない。
【発明の開示】
【発明が解決しようとする課題】
【００１１】
本発明の一態様は、前述したような従来の問題に対する本発明者らの認識を含む。このような認識に基づいて、本発明の特徴が発展してきた。
【００１２】
本発明の特徴は、端末のコンテンツ受信成功率を向上できるＢＣＡＳＴサービス（ブロードキャスト）システム及びこれを利用したコンテンツ伝送方法を提供することにある。これは、前記端末がコンテンツのダウンロードに対するフィードバックメッセージをネットワークに伝送することを可能にすることにより達成される。
【課題を解決するための手段】
【００１３】
少なくとも前述した特徴の全部又は一部を実現するために、本発明は、所定プログラムのコンテンツを第１時間中に端末に伝送し、前記端末の受信報告メッセージによってコンテンツの再伝送を決定するサーバと、前記コンテンツの受信報告メッセージを前記サーバにフィードバックする端末とを含むＢＣＡＳＴサービスシステムを提供する。
【００１４】
好ましくは、前記コンテンツは、前記端末により前記第１時間中に受信され、第２時間中に放送される。ここで、前記第１時間は、ＤＷ時間を示し、前記第２時間は、ＰＷ時間を示す。
【００１５】
好ましくは、前記サーバは、前記第１時間に関する識別子を前記端末に伝送する。
【００１６】
好ましくは、前記受信報告メッセージは、前記第１時間に関する識別子を含む。
【００１７】
好ましくは、前記サーバは、前記各コンテンツに対してスケジュールされた第１時間及び第２時間を含むサービスガイドを前記端末に伝送する。
【００１８】
好ましくは、前記サーバは、前記受信報告メッセージを利用して計算されるコンテンツ受信成功率によってコンテンツの再伝送を決定する。
【００１９】
好ましくは、前記コンテンツ受信成功率が所定値であるか、前記所定値より高い場合、前記サーバは１対１方式でコンテンツを再伝送し、前記端末のコンテンツ受信成功率が所定値より低い場合、前記サーバは１対多方式でコンテンツを再伝送する。
【００２０】
さらに、少なくとも前述した特徴の全部又は一部を実現するために、本発明は、前記コンテンツを第１時間中に１つ以上の端末に伝送し、受信報告メッセージを送信していない端末に接続通知メッセージを送信するサーバと、前記接続通知メッセージに含まれる情報を利用して前記サーバに前記コンテンツの再伝送を要求する端末とを含むＢＣＡＳＴサービスシステムを提供する。
【００２１】
好ましくは、前記第１時間は、ＤＷ時間を示し、前記第２時間は、ＰＷ時間を示す。
【００２２】
好ましくは、前記サーバは、前記第１時間に関する識別子を前記端末に伝送する。
【００２３】
好ましくは、前記接続通知メッセージは、ＳＭＳメッセージであり、第１時間中のコンテンツ伝送の試み及び失敗に関する情報とＵＲＬを含む。
【００２４】
好ましくは、前記コンテンツの再伝送要求は、第２時間以前にのみ可能であり、各端末により個別に行われる。
【００２５】
前記ＢＣＡＳＴサービスシステムは、前記コンテンツの受信不可能な端末を確認して前記サーバに通知するネットワーク素子（エンティティ）をさらに含む。前記ネットワークエンティティは、１：Ｍ通信をサポートするＢＣＡＳＴ分配システムである。
【００２６】
さらに、少なくとも前述した特徴の全部又は一部を実現するために、本発明は、サーバが、第１時間中にコンテンツを１つ以上の端末に伝送する段階と、前記コンテンツを受信した端末が、前記サーバに受信報告メッセージをフィードバックする段階と、前記フィードバックされた受信報告メッセージを利用して前記サーバが、コンテンツの再伝送を決定する段階とを含むＢＣＡＳＴサービスシステムのコンテンツ伝送方法を提供する。
【００２７】
好ましくは、前記第１時間は、ＤＷ時間を示し、前記コンテンツは、ＰＷ時間を示す第２時間中に放送される。
【００２８】
好ましくは、前記サーバは、前記第１時間に関する識別子を前記端末に伝送する。
【００２９】
好ましくは、前記サーバは、前記受信報告メッセージを利用して計算されたコンテンツ受信成功率によってコンテンツの再伝送を決定する。
【００３０】
好ましくは、前記端末のコンテンツ受信成功率が所定値であるか、前記所定値より高い場合、前記サーバが１対１方式で前記コンテンツを再伝送し、コンテンツ受信成功率が所定値より低い場合、前記サーバが１対多方式で前記コンテンツを再伝送する。
【００３１】
さらに、少なくとも前述した特徴の全部又は一部を実現するために、本発明は、サーバが、第１時間中にネットワークを介してコンテンツを１つ以上の端末に伝送する段階と、前記ネットワークが、コンテンツの受信不可能な端末を確認してサーバに通知する段階と、前記サーバが、前記コンテンツの受信不可能な端末に接続通知メッセージを送信する段階と、前記端末が、接続通知メッセージに含まれる情報を利用して前記サーバにコンテンツの再伝送を要求する段階とを含むＢＣＡＳＴサービスシステムのコンテンツ伝送方法を提供する。
【００３２】
好ましくは、前記第１時間は、ＤＷ時間を示し、前記コンテンツは、ＰＷ時間を示す第２時間中に放送される。
【００３３】
好ましくは、前記サーバは、前記第１時間に関する識別子を前記端末に伝送する。
【００３４】
好ましくは、前記接続通知メッセージは、ＳＭＳメッセージであり、第１時間中のコンテンツ伝送の試み及び失敗に関する情報とＵＲＬを含む。
【００３５】
好ましくは、前記コンテンツの再伝送要求は、第２時間以前にのみ可能であり、個別に行われる。
【００３６】
さらに、少なくとも前述した特徴の全部又は一部を実現するために、本発明は、サーバが、第１時間中にネットワークを介して各第１時間の識別子を１つ以上の端末に伝送する段階と、前記端末から受信報告メッセージを受信する段階と、前記受信報告メッセージを送信していない端末を分類し、前記接続通知メッセージを送信する段階と、前記端末が、接続通知メッセージに含まれる情報を利用して前記サーバにコンテンツの再伝送を要求する段階とを含むＢＣＡＳＴサービスシステムのコンテンツ伝送方法を提供する。
【００３７】
好ましくは、前記第１時間は、ＤＷ時間を示し、前記コンテンツは、ＰＷ時間を示す第２時間中に放送される。
【００３８】
好ましくは、前記接続通知メッセージは、ＳＭＳメッセージであり、第１時間中のコンテンツ伝送の試み及び失敗に関する情報とＵＲＬを含む。
【００３９】
好ましくは、前記コンテンツの再伝送要求は、第２時間以前にのみ可能であり、各端末により個別に行われる。
【００４０】
本発明のさらなる長所及び利点は後述する発明の詳細な説明に記述されるが、一部はその記述内容から明確になるか、又は、本発明を実施することにより理解されるであろう。本発明の目的と長所は、特に、発明の詳細な説明及び請求の範囲並びに添付図面に開示された構成により実現及び達成される。
【発明の効果】
【００４１】
本発明によるＢＣＡＳＴサービスシステム及びそのコンテンツ伝送方法は、ＤＷ及びＰＷを使用してプログラムコンテンツをダウンロードする場合、端末がネットワークにコンテンツの受信報告メッセージをフィードバックすることにより、前記端末と前記ネットワーク間のコンテンツ受信成功率を向上するという効果がある。
【発明を実施するための最良の形態】
【００４２】
以下、本発明の好ましい実施形態を詳細に説明する。
【００４３】
サーバは、ネットワークオペレータとのネゴシエーションにより、図２に示すように各コンテンツにＤＷ及びＰＷをサービスガイドのスケジュール表に明示した後、前記コンテンツを端末に伝送する。従って、前記端末は、認識されない方法（ｎｏｎ−ｒｅｃｏｇｎｉｚｅｄ  ｍａｎｎｅｒ）で（認識できないように又はユーザの認識なしに）前記ＤＷ時間中に各コンテンツをダウンロードし、前記ユーザは、実際に前記ＰＷ時間中に前記ダウンロードしたコンテンツを見ることができる。
【００４４】
しかし、前述したように、前記端末がＯＦＦ状態にある場合、シャドウエリア（すなわち、不感地域又は弱電波地域）にあって信号を受信できない場合、又は、バッテリ及び／もしくはメモリ容量が不足している場合、前記端末は、前記指定されたＤＷ時間中に前記ネットワークにより伝送された前記コンテンツを受信できない可能性がある。これは、前記従来のサーバは、前記コンテンツを１対多（Ｐｏｉｎｔ−ｔｏ−Ｍｕｌｔｉｐｏｉｎｔ）方式でブロードキャストするだけで、前記端末が該当コンテンツの受信に成功したか否かを確認しないためである。
【００４５】
このような問題を解決するために、本発明は、前記ＤＷ時間中の端末のコンテンツ受信成功率を向上させるためにブロードキャストコンテンツを伝送する方法を提案する。具体的には、本発明において、前記ＤＷ及び前記ＰＷを使用して特定プログラムのコンテンツをダウンロードし、前記端末が前記ネットワークに前記コンテンツの受信報告メッセージをフィードバックすることにより、前記端末と前記ネットワーク間の前記コンテンツ受信成功率が向上する。好ましくは、各ＤＷは識別子（ＤＷｉｄ）により区別される。
【００４６】
図３は、本発明を実現するためのＢＣＡＳＴサービスシステムの構成を示す図である。
【００４７】
図３に示すように、前記ＢＣＡＳＴサービスシステムは、コンテンツ及びサービスガイドの伝送、コンテンツ保護、並びにＢＣＡＳＴサービスのための維持及び管理などの機能を行うサーバ（又は、サービスプロバイダ）１００と、前記サーバ１００により伝送されたブロードキャストを前記ＤＷ又は前記ＰＷ時間中に受信する端末２００とから構成される。
【００４８】
また、前記ＢＣＡＳＴサービスシステムは、前記サービスガイド及び前記コンテンツを前記端末２００に伝送するために１：Ｍ通信をサポートするＢＣＡＳＴ分配システム（Ｂｒｏａｄｃａｓｔ  Ｄｉｓｔｒｉｂｕｔｉｏｎ  Ｓｙｓｔｅｍ：ＢＤＳ）３０と、双方向通信のために１：１通信をサポートする相互作用ネットワーク（Ｉｎｔｅｒａｃｔｉｏｎ  Ｎｅｔｗｏｒｋ）３１と、前記ＢＤＳ３０又は前記相互作用ネットワーク３１をそれぞれのベアラに応じて適用させるためのＢＤＳサービス分配部（ＢＤＳ  Ｓｅｒｖｉｃｅ  Ｄｉｓｔｒｉｂｕｔｉｏｎ  ｕｎｉｔ）３２とをさらに含む。前述したエレメントは、ノンブロードキャストネットワーク、すなわち、ＢＣＡＳＴサービスを提供するために採用される無線ネットワーク又は移動通信ネットワークに適用できる。
【００４９】
前記ＢＤＳ３０と前記相互作用ネットワーク３１は、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）、ＢＣＭＣＳ（Ｂｒｏａｄｃａｓｔ  Ｍｕｌｔｉｃａｓｔ  Ｓｅｒｖｉｃｅ）、ＩＳＤＢ−Ｔ（Ｉｎｔｅｇｒａｔｅｄ  Ｓｅｒｖｉｃｅ  Ｄｉｇｉｔａｌ  Ｂｒｏａｄｃａｓｔｉｎｇ−Ｔｅｒｒｅｓｔｒｉａｌ）、Ｔ／Ｓ−ＤＭＢ（Ｔｅｒｒｅｓｔｒｉａｌ／Ｓａｔｅｌｌｉｔｅ−Ｄｉｇｉｔａｌ  Ｍｕｌｔｉｍｅｄｉａ  Ｂｒｏａｄｃａｓｔｉｎｇ）などのＢＣＡＳＴサービスをサポートするために、必要なベアラを提供する。
【００５０】
前記サーバ１００は、ネイティブコンテンツを生成するコンテンツ生成部１０と、前記生成されたコンテンツの加工及び保護又はＢＣＡＳＴサービスの維持及び管理の機能を行うＢＣＡＳＴサービスアプリケーション（Ｂｒｏａｄｃａｓｔ  Ｓｅｒｖｉｃｅ  Ａｐｐｌｉｃａｔｉｏｎ：ＢＳＡ）部１１と、特定ベアラ（ＤＶＢ−Ｈ、ＭＢＭＳ、ＢＣＭＣＳなどをサポートするためのベアラ）を利用してＢＣＡＳＴサービスの伝送及びインタフェース提供の機能、並びにサービスガイド生成及びコンテンツスケジューリングの機能を行うＢＣＡＳＴサービス分配及び適用部（Ｂｒｏａｄｃａｓｔ  Ｓｅｒｖｉｃｅ  Ｄｉｓｔｒｉｂｕｔｉｏｎ／Ａｄａｐｔａｔｉｏｎ  ｕｎｉｔ）１２と、ＢＣＡＳＴサービス及びコンテンツの保護及び管理、並びにユーザ加入情報の維持及び管理の機能を行うＢＣＡＳＴ加入管理部（Ｂｒｏａｄｃａｓｔ  Ｓｕｂｓｃｒｉｐｔｉｏｎ  Ｍａｎａｇｅｍｅｎｔ  ｕｎｉｔ）１３とを含む。前記ＢＳＡ１１、前記ＢＣＡＳＴサービス分配及び適用部１２、並びに前記ＢＣＡＳＴ加入管理部１３は、内部通信により情報及び信号を伝送又は交換する。
【００５１】
以下、前記ＢＣＡＳＴサービスシステムにおけるコンテンツブロードキャスティング方法について詳細に説明する。
【００５２】
本発明において、前記サーバとは、ブロードキャストサービスに加入したユーザを管理し、コンテンツの伝送に成功するために前記ネットワーク及び前記端末と密接な関係を維持する側（エンティティ）をいう。
【００５３】
図４は、本発明の第１実施形態によるＢＣＡＳＴサービスシステムにおけるコンテンツ伝送方法の過程を示すフローチャートである。
【００５４】
図４を参照すると、前記サーバ１００は、ＢＣＡＳＴ分配システム（ＢＤＳ）３０によりアイドルモードの端末２００をウェイクアップし、前記ＤＷ時間中にコンテンツをブロードキャストチャネルで前記端末２００に伝送する（Ｓ１０）。前記サーバ１００は、各ＤＷに関する識別子（ＤＷｉｄ）も伝送し、前記ＤＷｉｄは、以下のＸＭＬシンタックスで定義される。
…
＜ｘｓ：ａｔｔｒｉｂｕｔｅ  ｎａｍｅ＝”ＤＷｉｄ”  ｔｙｐｅ＝”ｘｓ：ｉｎｔｅｒ”  ｕｓｅ＝”ｏｐｔｉｏｎａｌ”／＞
…
すなわち、前記ＢＣＡＳＴサービスアプリケーション部１１は、前記コンテンツ生成部１０により生成された前記ネイティブコンテンツをＢＣＡＳＴに適したフォームに加工して前記ＢＣＡＳＴサービス分配及び適用部１２に伝送する。前記ＢＣＡＳＴサービス分配及び適用部１２は、各コンテンツの前記ＤＷ及び前記ＰＷをスケジュール表に明示してサービス（プログラム）ガイドを生成し、前記ＢＣＡＳＴ加入管理部１３の加入者情報を参照して前記サービスガイドを端末２００に伝送する。ここで、前記端末２００は、前記ＤＷ及び前記ＰＷをサポートできるとともに、受信可能な状態にある端末である。
【００５５】
その後、前記サーバ１００、具体的には、前記ＢＣＡＳＴサービス分配及び適用部１２は、前記ＤＷ時間中に前記コンテンツを複数の端末２００に伝送する。前記ＤＷ識別子に基づいて各ＤＷ時間中に前記該当コンテンツの受信に成功すると、前記端末２００は、Ｃｌｉｅｎｔ  ＩＤを含む受信報告メッセージ（又は、ＯＫ確認メッセージ）、すなわち、前記コンテンツの受信完了を示すメッセージを前記サーバ１００に送信する（Ｓ１１）。この場合、前記受信報告メッセージは、前記相互作用ネットワーク３１を介して前記ＢＣＡＳＴ加入管理部１３に送信される。
【００５６】
各端末２００から受信報告メッセージを受信すると、前記サーバ１００は、前記受信された確認メッセージに基づいてコンテンツ受信成功率を計算し、前記計算された受信成功率が所定値であるか、又は前記所定値より高いかを確認する（Ｓ１２）。すなわち、前記確認メッセージが受信されると、前記ＢＣＡＳＴ加入管理部１３は、前記確認メッセージを受信していない端末（すなわち、受信に失敗した端末）のリストを前記ＢＣＡＳＴサービス分配及び適用部１２に伝送し、前記ＢＣＡＳＴサービス分配及び適用部１２は、前記リストに基づいて前記コンテンツ受信成功率を計算し、前記受信成功率が高いか低いかを確認する。
【００５７】
前記受信成功率が所定値以上である場合、前記ＢＣＡＳＴサービス分配及び適用部１２は、（例えばユニキャストにより）前記受信に失敗した端末２００に前記コンテンツを１対１方式で再伝送する（Ｓ１３）。前記受信成功率が所定値より低い場合、前記ＢＣＡＳＴサービス分配及び適用部１２は、（例えばブロードキャストにより）ブロードキャストチャネルで前記コンテンツを１対多方式で前記受信に失敗した端末２００に再伝送する（Ｓ１４）。前記サーバ１００から１対多方式又は１対１方式で前記コンテンツが再伝送されると、該当コンテンツを受信した各端末２００は、Ｃｌｉｅｎｔ  ＩＤを含む確認メッセージを前記サーバ１００に送信する（Ｓ１５）。
【００５８】
その後、前記サーバ１００は、前記確認メッセージに基づいて前記ＤＷ時間中に全ての端末２００が前記コンテンツの受信に成功したか否かを確認する（Ｓ１６）。前記ＤＷ時間中に全ての端末２００が前記コンテンツの受信に成功した場合、前記サーバ１００は、前記コンテンツの伝送を完了し、前記端末２００は、該当プログラムのコンテンツを実際の放送時間、すなわち、前記ＰＷ時間中に提供（放送）する。それに対して、前記ＤＷ時間中に前記コンテンツの受信に失敗した端末（Ｃｌｉｅｎｔ  ＩＤにより区別できる）２００は、前記ＰＷ時間中に前記サーバ１００から提供された前記コンテンツを受信して前記ユーザに放送する（Ｓ１７）。
【００５９】
図５は、本発明の第２実施形態によるＢＣＡＳＴサービスシステムにおけるコンテンツ伝送方法の過程を示すフローチャートである。
【００６０】
まず、前記サーバ１００は、前記ＢＤＳ３０を利用してアイドルモードの端末２００をウェイクアップし、前記ＤＷ時間中にコンテンツを前記端末２００にブロードキャストする（Ｓ２０）。従って、前記端末２００は、該当コンテンツを受信する（Ｓ２１）。この過程において、前記端末２００の属するネットワークのＢＤＳ３０は、各端末の状態を確認（すなわち、前記コンテンツの受信不可能な端末（コンテンツ受信に失敗した端末）を確認）して前記サーバ１００に通知する（Ｓ２２）。
【００６１】
その後、前記端末２００がサービスの受信可能な状態に移行すると（例えば、前記端末がＯＦＦ状態からＯＮ状態に移行するか、前記端末がシャドウエリアから移動するか、前記端末のバッテリが十分な場合など）、前記サーバ１００は、前記ＤＷ時間中に前記コンテンツの伝送を試みたが失敗したことを示す情報（失敗情報）とＵＲＬ情報を含むＳＭＳメッセージ（例えば、接続通知メッセージ）を前記端末２００に送信する（Ｓ２３）。
【００６２】
従って、前記ＤＷ時間中に前記ＢＣＡＳＴサービスを受信できなかった端末２００は、サービスの受信可能な状態に移行でき（ネットワークに再接続すると）、前記ユーザが該当コンテンツの再伝送を希望する場合、前記サーバ１００のＢＣＡＳＴ加入管理部１３に再伝送要求メッセージを送信してサービスの再伝送を要求する（Ｓ２４）。前記再伝送要求メッセージを受信すると、前記ＢＣＡＳＴ加入管理部１３が再伝送を要求する端末について前記ＢＣＡＳＴサービス分配及び適用部１２に通知し、前記ＢＣＡＳＴサービス分配及び適用部１２が該当端末に再び前記コンテンツを再伝送する。この場合、前記コンテンツの再伝送は、前記ＰＷ時間前には実行可能であるが、前記端末が前記ＰＷ時間中に又は前記ＰＷ時間後に再接続した場合は不可能である。
【００６３】
図６は、本発明の第３実施形態によるＢＣＡＳＴサービスシステムにおけるコンテンツ伝送方法の過程を示すフローチャートである。
【００６４】
図６を参照すると、前記サーバ１００は、前記ＤＷ時間中にプログラムのコンテンツを複数の端末２００にブロードキャストする（Ｓ３０）。前記コンテンツを受信すると、前記端末２００は、Ｃｌｉｅｎｔ  ＩＤを含む受信報告メッセージ（例えば、ＯＫ確認メッセージ）を相互作用チャネルで前記ＢＣＡＳＴ加入管理部１３に送信する（Ｓ３１、Ｓ３２）。
【００６５】
その後、前記サーバ１００は、受信報告メッセージを受信していない端末２００のリストを前記ＢＣＡＳＴ加入管理部１３から受信する。すなわち、前記サーバ１００は、全てのターゲット端末２００から受信報告メッセージが受信されているか否かを確認する（Ｓ３３）。確認の結果、全ての端末２００から受信確認メッセージが受信されている場合、前記サーバ１００は、前記コンテンツ伝送を完了する。それに対して、前記サーバ１００に受信報告メッセージが受信されていない端末（すなわち、受信に失敗した端末）がある場合、前記サーバ１００は、該当端末２００を再伝送対象端末に分類した後、前記ＤＷ時間中に何回コンテンツ伝送があったかを通知する情報（すなわち、失敗情報）とＵＲＬを含む接続通知メッセージを前記再伝送対象端末に伝送する（Ｓ３４）。
【００６６】
従って、前記受信失敗端末２００は、前記サービス受信が可能になると（例えば、前記端末がＯＦＦ状態からＯＮ状態に移行するか、前記端末がシャドウエリアから移動するか、又は、前記端末のバッテリが十分な場合など）、前記失敗情報とＵＲＬを含む接続通知メッセージを受信できる。
【００６７】
その後、ユーザが前記受信された接続通知メッセージの内容を参照して前記コンテンツの再伝送を要求すると、各端末２００は、相互作用チャネルでサーバ１００のＢＣＡＳＴ加入管理部１３に再伝送要求メッセージを送信して前記コンテンツの再伝送を要求する（Ｓ３５）。
【００６８】
従って、前記ＢＣＡＳＴ加入管理部１３は、再伝送を要求する端末２００のリストを前記ＢＣＡＳＴサービス分配及び適用部１２に通知し、前記ＢＣＡＳＴサービス分配及び適用部１２は、該当端末２００に前記コンテンツを再伝送する。この場合、前記再伝送は、前記ＰＷ時間前には可能であるが、前記端末２００が前記ＰＷ時間中又は前記ＰＷ時間後に再接続される場合は不可能である。
【００６９】
本発明の第２及び第３実施形態は、前記ＤＷ時間中に前記コンテンツが伝送されたが、前記端末がサービスの受信不可能な状態（すなわち、端末がＯＦＦ状態であるか、端末がシャドウエリアにあるか、端末のバッテリが不足している場合）であるため前記コンテンツの受信に失敗した状況に効果的である。
【００７０】
前述した実施形態と利点は本発明を制限するものでなく、単なる例示にすぎない。本発明は、他の形態の装置にも容易に適用できる。本発明の詳細な説明は特許請求の範囲を制限するものでなく、単なる説明の便宜のためのものである。当該技術分野における通常の知識を有する者であれば多様な代案、変更、変形が可能であることを理解できるであろう。請求項において、ミーンズプラスファンクションクレーム（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造をも含む。
【図面の簡単な説明】
【００７１】
【図１】ＤＷ及びＰＷを示す図である。
【図２】ＤＷ及びＰＷを適用したサービスガイドの一例を示す図である。
【図３】本発明を実現するためのＢＣＡＳＴサービスシステムの構成を示す図である。
【図４】本発明の第１実施形態によるＢＣＡＳＴサービスシステムにおけるコンテンツ伝送方法の過程を示すフローチャートである。
【図５】本発明の第２実施形態によるＢＣＡＳＴサービスシステムにおけるコンテンツ伝送方法の過程を示すフローチャートである。
【図６】本発明の第３実施形態によるＢＣＡＳＴサービスシステムにおけるコンテンツ伝送方法の過程を示すフローチャートである。
【図１】
2009500942.tif 000003
【図２】
2009500942.tif 000004
【図３】
2009500942.tif 000005
【図４】
2009500942.tif 000006
【図５】
2009500942.tif 000007
【図６】
2009500942.tif 000008
【国際調査報告】
2009500942.tif 000009
2009500942.tif 000010